(57)【要約】【課題】媒体取扱装置から媒体を複数重ねて排出する場合に、その枚数を目視で確認できる手段を提供する。【解決手段】少なくとも２枚の媒体を重ねて媒体取扱口から排出する媒体取扱装置において、媒体処理部から吸入した１枚目の媒体を磁気読取書込部で読取処理した後に一時保留部に退避させ、２枚目の媒体を吸入して磁気読取書込部で読取処理した後に磁気読取部に待機させ、吸入した媒体を排出するときに可動ガイドを開状態として２枚目の媒体をストッパに係止させて集積した後に１枚目の媒体を搬送して集積し、可動ガイドを閉状態にして２枚の媒体を吸排ローラに挟持し、下吸排ローラのみを回転させて媒体の重なりをずらして媒体取扱口から排出する。【選択図】        図１
2004299793.tif 000002
【特許請求の範囲】
【請求項１】
少なくとも２枚の媒体を重ねて媒体取扱口から排出する媒体取扱装置において、
前記媒体の重なりをずらして排出することを特徴とする媒体取扱装置。
【請求項２】
請求項１において、
前記媒体の重なりのずれを、前記媒体取扱口の外部から視認できる状態で排出することを特徴とする媒体取扱装置。
【請求項３】
請求項１または請求項２において、
前記媒体の重なりのずれを、排出する前記媒体の下側の媒体を排出方向にずらして形成することを特徴とする媒体取扱装置。
【請求項４】
請求項１、請求項２または請求項３において、
前記媒体取扱口の近傍に一対の吸排ローラを設け、該吸排ローラの一方のみを回転させて前記重ねられた媒体にずれを生じさせることを特徴とする媒体取扱装置。
【請求項５】
請求項４において、
前記一対の吸排ローラを上吸排ローラと下吸排ローラとで構成すると共に、可動ガイドと、ストッパと、上受渡ローラと下受渡ローラとからなる一対の受渡ローラとを設け、前記可動ガイドの前記媒体取扱口側に前記下吸排ローラを、その反対側に前記下受渡ローラを回転自在に設置し、前記可動ガイドと前記媒体取扱口との間に前記ストッパを配置し、前記可動ガイドを前記下受渡ローラの下受渡ローラ軸を回転支点として前記上吸排ローラと下吸排ローラとを接離可能に支持し、この可動ガイドを開状態として、前記ストッパに前記媒体を係止させて集積することを特徴とする媒体取扱装置。
【発明の詳細な説明】
【０００１】
【発明の属する技術分野】
本発明は、キャッシュカードやプリペードカード等の磁気カードおよび接触型や非接触型のＩＣカード等のカード類や乗車券等のチケット類、取引明細票等の帳票類等の媒体を単独または混用して取扱う媒体取扱装置に関する。
【０００２】
【従来の技術】
従来の媒体取扱装置は、媒体である証書を複数発行するときには、媒体取扱口の近傍に設けた集積搬送部に順に媒体を搬送して集積し、複数の媒体を重ね合せて一括して排出している（例えば、特許文献１参照。）。
また、上記と同様にして集積した複数のチケット類を綴り合せて一括して排出しているものもある（例えば、特許文献２参照。）。
【０００３】
【特許文献１】
特開平２−４７７９３号公報（第４頁左上欄、第４図）
【特許文献２】
特開平９−２０８１１７号公報（第２頁
【０００５】、第１図）
【０００４】
【発明が解決しようとする課題】
しかしながら、上述した従来の技術においては、複数の媒体を重ね、端部を揃えて一括して排出するため、利用者がその枚数を目視で確認することが困難であり、誤解等による混乱を生じさせるという問題がある。
本発明は、上記の問題点を解決するためになされたもので、媒体を複数重ねて排出する場合に、その枚数を目視で確認できる手段を提供することを目的とする。
【０００５】
【課題を解決するための手段】
本発明は、上記課題を解決するために、少なくとも２枚の媒体を重ねて媒体取扱口から排出する媒体取扱装置において、前記媒体の重なりをずらして排出することを特徴とする。
【０００６】
【発明の実施の形態】
以下に、図面を参照して本発明による媒体取扱装置の実施の形態について説明する。
第１実施の形態例
図１は本発明の第１実施の形態を示す概略構成図、図２は第１実施の形態の媒体処理部を示す概略側面図である。
【０００７】
図１において、１は媒体取扱装置である。本実施の形態では、定期券の新規発行や更新を行う定期券発行機である。
２は媒体処理部であり、媒体の吸入および／もしくは排出並びに排出する媒体の集積を行う。
本実施の形態では、媒体としての利用者のキャッシュカードやクレジットカード等の取引カードや定期券の挿入部、排出部、集積部として機能する。
【０００８】
３は媒体取扱口であり、媒体を挿入する媒体挿入口および／もしくは媒体を排出する媒体排出口として機能する。
本実施の形態では、媒体取扱口３は媒体挿入口および媒体排出口として機能する。
４は媒体取扱装置１の主制御部であり、媒体取扱装置１内の各部を制御して媒体取扱処理を実行する。
【０００９】
５は記憶部であり、主制御部４が実行するプログラムや主制御部４による処理結果等が格納される。
６は表示操作部であり、媒体取扱装置１の前面に設けられ、ＣＲＴまたはＬＣＤ等の表示画面とタッチパネル等との組合せ等で構成される。
本実施の形態では、定期券情報等の入力画面や利用者の処置を促す画面等を表示する一方、タッチパネル等により利用者からの入力を受付ける。
【００１０】
７は印刷部であり、印刷ヘッド７ａおよびこれに対向して設けられたプラテン７ｂを備えている。
本実施の形態では、定期券の表面に利用区間や有効期限等を印刷する機能を有している。
８は磁気読取書込部であり、取引カード等に記録されている磁気データを読み書きする磁気ヘッド８ａを備えている。
【００１１】
本実施の形態では、利用者の取引カードの磁気ストライプのカード情報を読み書きする機能および定期券の磁気フィルムの定期券情報を読み書きする共に定期券に書込んだ定期券情報を読み出して確認する機能を有している。
９は一時保留部であり、媒体取扱口３から挿入された利用者の取引カードを挟持して一時保留するための一対の保留ローラ１０および図示しない駆動源からの駆動力を伝達、遮断するためのクラッチ１１が設けられており、取引カードが磁気読取書込部８から一時退避するために搬送される。
【００１２】
１２は回収庫であり、その入口付近に一対の回収ローラ１３が設けられており、不要になった媒体や利用者が取忘れた媒体を回収する。
１４はホッパ部であり、新たに発行される媒体の原券（以下、媒体原券という。）が装填される。
本実施の形態では、磁気データを書込むための磁気フィルムと利用区間や有効期限等を印刷するための用紙とを積層した媒体原券としての定期券原券Ｗが装填されている。
【００１３】
１５は分離機構であり、ホッパ部１４の繰出口に設けられ、ホッパ部１４の最下部で媒体原券Ｗに接する位置に設けられたピックアップローラ１５ａと、ピックアップローラ１５ａの排出方向下流側に併設されたフィードローラ１５ｂと、フィードローラ１５ｂと対向して設置されたリバースローラ１５ｃとにより構成されており、媒体原券Ｗを１枚毎に分離して繰出す機能を有している。
【００１４】
１６は搬送経路であり、吸入方向に媒体取扱口３、媒体処理部２、印刷部７、磁気読取書込部８、一時保留部９、ホッパ部１４をつなぐ経路である。
搬送経路１６には、これを挟んで対向する一対の搬送ローラ１７ａ、１７ｂ、１７ｃや保留ローラ１０等が媒体の受け渡しが可能な間隔で適宜に配置されており、一対のローラ間に媒体を挟持して搬送する。
【００１５】
１６ａは分岐経路であり、磁気読取書込部８と一時保留部９との間に設けられた分岐部から分岐して媒体を回収庫１２へ搬送する経路であって、分岐部には図示しない切替ブレードが設置されている。
１８は媒体検知センサであり、発光部と受光部とを搬送経路１６を挟んで対向させた光学式のセンサであって、媒体処理部２の排出方向直前に配置され、発光部から光を媒体が遮断したことを受光部が検知して媒体の通過を検知する。
【００１６】
図２において、２１は一対の吸排ローラであり、上吸排ローラ２１ａと下吸排ローラ２１ｂとで構成されて媒体処理部２の媒体取扱口３の近傍に設けられており、図１に示す閉状態において搬送経路１６を挟んで互いに対向して接するように配置され、上吸排ローラ２１ａと下吸排ローラ２１ｂとの間に媒体を挟持して搬送する。
【００１７】
本実施の形態では、吸排ローラ２１は媒体挿入時の吸入ローラおよび媒体排出時の排出ローラとして機能する。
上吸排ローラ２１ａは、媒体処理部２のフレーム等に回転自在に支持された上吸排ローラ軸２２ａに固定されており、上吸排ローラ軸２２ａに一のギアが固定されたギア列２３を介して駆動モータ２４により下吸排ローラ２１ｂとは独立して正逆回転可能に駆動される。
【００１８】
また、上吸排ローラ２１ａには、一端を媒体処理部２のフレーム等に係止された圧縮コイルスプリングやトーションスプリング等のプレッシャスプリング２５が設けられており、常に搬送経路１６の方向に付勢されている。
２６は可動ガイドであり、搬送経路１６の下側で搬送される媒体の落下や傾きを防止するためのガイド板２６ａと、このガイド板２６ａに略垂直に設けられたアーム板２６ｂが設けられている。
【００１９】
また、可動ガイド２６のアーム板２６ｂの媒体取扱口３側には、下吸排ローラ２１ｂがアーム板２６ｂに回転自在に支持されて配置されている。
２７は一対の受渡ローラであり、可動ガイド２６の吸排ローラ２１の反対側にアーム板２６ｂに回転自在に支持されて配置された下受渡ローラ２７ｂと、搬送経路１６を挟んで下受渡ローラ２７ｂに対向して配置された上受渡ローラ２７ａとで構成されており、上受渡ローラ２７ａと下受渡ローラ２７ｂとの間に媒体を挟持して搬送する。
【００２０】
本実施の形態では、受渡ローラ２７は、媒体挿入時に媒体を搬送ローラ１７ａへ受渡し、媒体排出時に媒体を搬送ローラ１７ａから受取るローラとして機能する。
上受渡ローラ２７ａは、媒体処理部２のフレーム等に回転自在に支持された上受渡ローラ軸２８ａに固定され、下受渡ローラ２７ｂに従動して正逆回転可能に回転する。
【００２１】
また、上受渡ローラ２７ａは上吸排ローラ２１ａと同様にプレッシャスプリング等により常に搬送経路１６の方向に付勢されている。
２９はストッパであり、媒体取扱口３と可動ガイド２６の間に設けられ、後述する可動ガイド２６の回動範囲での媒体の落下を防止するために略円弧状の形状に設けられる。
【００２２】
なお、ストッパ２９は媒体取扱装置１の前面パネルに同様の形状を形成して設けるようにしてもよい。これにより装置の簡素化が可能となる。
アーム板２６ｂには、その媒体取扱口３側に下吸排ローラ２１ｂが下吸排ローラ軸２２ｂに固定されて回転自在に支持され、その反対側に下受渡ローラ２７ｂが下受渡ローラ軸２８ｂに固定されて回転自在に支持されて配置されており、下吸排ローラ軸２２ｂ、下受渡ローラ軸２８ｂに設けられたプーリに掛渡された無端の歯付ベルト等のベルト３０により、図示しない駆動源による下受渡ローラ２７ｂの回転に連動して下吸排ローラ２１ｂが回転する。
【００２３】
また、可動ガイド２６のアーム板２６ｂには、下受渡ローラ軸２８ｂが貫通する支持孔と、この支持孔の下吸排ローラ２１ｂの反対側の延長部２６ｃの端部にリンク３１のピン３１ａが遊嵌する孔３２が設けられる。
３３はソレノイドであり、通電時にプランジャ３４を本体内に引込む吸引型のソレノイドである。
【００２４】
３５は連結ピンであり、リンク３１のピン３１ａの反対側で、プランジャ３４とリンク３１とを連結する。
３６は引張コイルスプリング等のリターンスプリングであり、一端が媒体処理部２のフレーム等に係止され、他端が可動ガイド２６の延長部２６ｃに連結されており、プランジャ３４を引出す方向に付勢する。
【００２５】
上記のように、可動ガイド２６はソレノイド３３をアクチュエータとし、下受渡ローラ軸２８ｂを回転支点として回動可能に構成されており、常時つまりソレノイドの非通電時にはリターンスプリング３６に引っ張られて下吸排ローラ２１ｂが上吸排ローラ２１ａに押圧された図１に示す閉状態であり、吸排ローラ２１間に媒体を挟持して搬送する。
【００２６】
また、ソレノイド３３の通電時には、プランジャ３４がリターンスプリング３６の引張力に抗してソレノイド３３の本体内に引込まれ、プランジャ３４と連結ピン３５で連結しているリンク３１を引上げ、ピン３１ａが遊嵌している孔３２を引上げて下受渡ローラ軸２８ｂを回転支点として可動ガイド２６が図２に示す矢印Ａ方向に回動する。
【００２７】
これにより、上吸排ローラ２１ａと下吸排ローラ２１ｂとが接離可能に構成され、下吸排ローラ２１ｂが上吸排ローラ２１ａから離れた図２に示す開状態のときに、ストッパ２９とガイド板２６ａによって排出する媒体の集積場所が形成される。
上述した構成の作用について説明する。
【００２８】
本実施の形態では、利用者は有効期限の近づいた定期券（以下、本実施例において旧定期券という。）を新しい定期券（以下、本実施例において定期券という。）に更新するために媒体取扱装置１（以下、本実施例において定期券発行機１と記す。）を使用する。
以下に、図３に示すフローチャートを用い、Ｓで示すステップに従って本実施の形態の媒体取扱処理について説明する。
【００２９】
Ｓ１、定期券発行機１の主制御部４は、表示操作部６の画面に待機画面を表示し、可動ガイド２６を図１に示す閉状態として待機している。
主制御部４は、利用者の接近を検知すると、表示操作部６の画面に定期券発行の操作手順等を表示した案内画面を表示する。
利用者は、表示された操作手順に従って、媒体としての利用者の取引カードを媒体取扱口３から挿入する。
【００３０】
Ｓ２、取引カードが挿入されると、主制御部４は吸排ローラ２１や受渡ローラ２７、搬送ローラ１７ａ、１７ｂにより印刷部７を通過させて取引カードを磁気読取書込部８へ搬送経路１６に沿って搬送し、取引カードの磁気ストライプに記録されている利用者の口座の金融機関名や口座番号等のカード情報を磁気ヘッド８ａにより読取り、これを記憶部５に格納する。
【００３１】
Ｓ３、カード情報を読取った主制御部４は、搬送経路１６に沿って取引カードを搬送ローラ１７ｃにより一時保留部９へ搬送して保留ローラ１０に挟持させ、所定の位置に取引カードが達したことを確認してクラッチ１１により駆動力を遮断して停止させ、磁気読取書込部８から取引カードを退避させる。
Ｓ４、取引カードの退避を確認した主制御部４は、表示操作部６の画面に旧定期券の挿入を促す旨の文言を表示する。
【００３２】
利用者は、媒体としての旧定期券を媒体取扱口３から挿入する。
Ｓ５、旧定期券が挿入されると、主制御部４はステップＳ２と同様にして旧定期券を磁気読取書込部８へ搬送し、旧定期券の磁気フィルムに記録されている利用区間や有効期限、利用者の氏名や年齢等の旧定期券情報を読取り、これを記憶部５に一時保存する。
【００３３】
この場合に、一時保留部９のクラッチ１１は駆動力を遮断したままとなっているので、一時保留部９に退避させた取引カードは保留ローラ１０に挟持されて待機している。
Ｓ６、旧定期券情報を読取った主制御部４は、搬送経路１６と分岐経路１６ａとの分岐部の図示しない切替ブレードを分岐経路１６ａの方向に切替え、旧定期券を搬送ローラ１７ｂ、１７ｃにより搬送し、分岐経路１６ａへ導いて回収ローラ１３により回収庫１２へ放出して回収する。
【００３４】
Ｓ７、これと並行して主制御部４は、表示操作部６の画面に旧定期券情報や更新する利用期間の入力ボタン等を表示した更新情報入力画面を表示する。
利用者は利用期間等を表示操作部６の画面に表示された入力ボタン等によって入力し、主制御部４はこれを更新情報として記憶部５に一時保存する。
Ｓ８、旧定期券の回収を確認した主制御部４は、各搬送ローラや受渡ローラ２７を排出方向に回転させると共に、一時保留部９に退避させていた取引カードを排出方向に搬送するためにクラッチ１１により駆動力を保留ローラ１０に伝達する。
【００３５】
これにより取引カードが搬送経路１６に沿って排出方向に搬送される。
Ｓ９、取引カードの排出方向への搬送を開始した主制御部４は、媒体検知センサ１８が取引カードの先端を検知するのを待って待機し、媒体検知センサ１８が取引カードの先端を検知したことを契機としてステップＳ１０へ移行する。
Ｓ１０、取引カードの先端を検知した主制御部４は、媒体処理部２のソレノイド３３に通電してプランジャ３４をその本体内に引込み、連結ピン３５、リンク３１、ピン３１ａを介して可動ガイド２６の延長部２６ｃの孔３２をリターンスプリング３６の引張力に抗して引上げる。
【００３６】
これにより、可動ガイド２６が下受渡ローラ軸２８ｂを回転支点として図２に示す矢印Ａ方向に回動し、可動ガイド２６が開状態となる。
Ｓ１１、主制御部４は、取引カードを媒体処理部２へ搬送して受渡ローラ２７に挟持させ、開状態となった可動ガイド２６のガイド板２６ａ上に放出する。
この時、放出された取引カードはストッパ２９に係止されて停止し、ガイド板２６ａ上に集積される。
【００３７】
Ｓ１２、取引カードの集積を終えた主制御部４は、ホッパ部１４の分離機構１５を作動させて定期券原券Ｗを１枚繰出し、定期券原券Ｗを保留ローラ１０、搬送ローラ１７ｃにより搬送経路１６に沿って排出方向に搬送し、一時保留部９を通過させて磁気読取書込部８へ搬送する。
Ｓ１３、これと並行して主制御部４は、記憶部５に一時保存していた旧定期券情報および更新情報を参照して新たな有効期限や料金等を演算し、利用区間や利用者の氏名等の定期券情報を生成し、これを磁気情報として磁気読取書込部８へ送信して定期券原券Ｗの磁気フィルムに磁気ヘッド８ａにより書込み、その後に書込内容を読取って確認する。
【００３８】
この時、書込内容に書込エラーがある場合には、主制御部４はその定期券原券Ｗを吸入方向に搬送し、上記ステップＳ６の旧定期券の回収と同様にして回収庫１２に回収し、ステップＳ１２へ戻って新たな定期券原券Ｗを繰出し、上記の作動を繰返す。
Ｓ１４、定期券原券Ｗの書込内容の確認を終えた主制御部４は、磁気書込を終えた定期券原券Ｗを搬送ローラ１７ｂにより搬送経路１６に沿って排出方向に更に搬送して印刷部７のプラテン７ｂ上の所定の位置に停止させる。
【００３９】
これと並行して主制御部４は、定期券情報を印刷情報として印刷部７へ送信して印刷ヘッド７ａによりプラテン８ａ上の定期券原券Ｗの表面に印刷して定期券を作成する。
また、主制御部４は取引情報として定期券情報を記憶部５の利用者のカード情報に対応させて格納すると共に一時保存していた旧定期券情報および更新情報を消去する。
【００４０】
Ｓ１５、定期券の作成を終えた主制御部４は、定期券を媒体処理部２へ搬送し、ステップＳ１１と同様にして先に集積されている取引カードの上に図４に示すように集積する。
Ｓ１６、ガイド板２６ａ上に取引カードと定期券の２枚の媒体の集積を終えた主制御部４は、媒体処理部２のソレノイド３３の通電を解除する。
【００４１】
これにより、プランジャ３４が開放され、リターンスプリング３６の付勢力によって可動ガイド２６の延長部２６ｃが引下げられ、可動ガイド２６が下受渡ローラ軸２８ｂを回転支点として矢印Ａとは反対方向に回動し、可動ガイド２６が図１に示す閉状態となる。
Ｓ１７、図５に示すずらし動作開始時の状態、つまり２枚の媒体をプレッシャスプリング２５により押圧して上吸排ローラ２１ａと下吸排ローラ２１ｂとの間に挟持した主制御部４は、上吸排ローラ２１ａを停止状態とし、下吸排ローラ２１ｂのみを排出方向（図５において反時計方向）に回転させてずらし動作を実行する。
【００４２】
すなわち、主制御部４は上側にある定期券と下側にある取引カードの重なりを所定のずらし量、例えば１０〜１５ｍｍとするため、図示しない駆動源によりベルト３０を介して下吸排ローラ２１ｂを排出方向に所定のずらし量に相当する角度回転させ、図６に示すずらし動作終了時の状態とし、下側の取引カードを排出方向にずらして媒体の重なりのずれを形成する。
【００４３】
Ｓ１８、ずらし動作を終えた主制御部４は、下吸排ローラ２１ｂを回転させると同時に駆動モータ２４によりギア列２３を介して上吸排ローラ２１ａを搬送方向（図５において時計方向）に回転させ、２枚の媒体（定期券と取引カード）を上吸排ローラ２１ａと下吸排ローラ２１ｂとの間に挟持して搬送し、上側の媒体である定期券の先端を媒体取扱口３から所定の長さに排出して上吸排ローラ２１ａと下吸排ローラ２１ｂとを停止させ、図７に示すように２枚の媒体を上吸排ローラ２１ａと下吸排ローラ２１ｂとの間に挟持したまま待機する。
【００４４】
これにより、２枚の媒体の下の媒体である取引カードが所定のずらし量でその重なりをずらして排出され、上の媒体である定期券の先端部が視認できる所定の長さに排出されて利用者が媒体取扱口３の外部から視認できる状態になる。
利用者は、排出された媒体をその重なりのずれによって２枚であることを確認し、２枚の媒体を媒体取扱口３から引出して受取る。
【００４５】
媒体の受取りを確認した主制御部４は、ステップＳ１に戻って表示操作部６の画面に待機画面を表示し、可動ガイド２６を図１に示す閉状態のまま、つまり媒体排出終了時の状態のままとして待機する。
このようにして、定期券発行機による利用者との定期券発行取引を継続し、終業時や週末等の所定の時期に記憶部５に格納した取引情報により定期券料金等の精算が行われる。
【００４６】
以上説明したように、本実施の形態では、複数の媒体をその重なりをずらして排出するようにしたことによって、排出された媒体が複数であることを利用者が目視で容易に確認でき、無用の混乱を未然に防止することができると共に、複数の媒体を一度に排出することができ、媒体の取忘れを防止することができる。
また、下側の媒体を所定のずらし量でずらし、上側の媒体を所定の長さに排出して媒体取扱口の外部から視認できる状態で排出するようにしたことによって、利用者が排出された媒体の種類を確認することが可能となる。
【００４７】
更に、媒体取扱口の近傍に設けた一対の吸排ローラの上吸排ローラを停止させたまま下吸排ローラのみを回転させてずらし動作を行うようにしたことによって、吸排ローラの摩擦を利用して簡素な構造で媒体のずらし動作を行わせることができる。
更に、下吸排ローラと下受渡ローラとを設けた可動ガイドを下受渡ローラ軸を回転中心として上吸排ローラと下吸排ローラを接離可能に支持し、開状態とした可動ガイドとストッパとにより集積場所を形成するようにしたことによって、媒体をその集積場所に放出するだけで容易に複数の媒体を重ねて集積することができる。
【００４８】
なお、本実施の形態の媒体処理部の搬送経路は水平であるとして説明したが、可動ガイドを開状態としたときに媒体を自重により集積できる程度の角度に傾斜させて設置するようにしてもよい。
また、上記のステップＳ７の定期券情報入力の作動は、ステップＳ７を除くステップＳ６〜Ｓ１１の間で並行処理により行うようにしてもよい。
【００４９】
更に、定期券料金の精算は所定の時期に行うとして説明したが、上記のステップＳ２においてカード情報を読取った後に、その金融機関のホストコンピュータに問合せて本人確認を行うようにし、ステップＳ１４において取引情報を格納するときに取引情報をホストコンピュータに送信して精算するようにしてもよい。
この場合に利用者にその取引カードの暗証番号を入力させて本人確認をより確実なものとするようにしてもよい。
【００５０】
更に、一時保留部９を省略して装置の簡素化を図るようにしてもよい。
この場合に、主制御部４は、まずステップＳ４〜Ｓ６を実行して旧定期券を回収庫１２に回収する。
そして、ステップＳ１、Ｓ２を実行して取引カードのカード情報を読取り、磁気読取書込部８において取引カードを一時保留する。
【００５１】
その後のステップＳ７以降の作動は上記の作動と同様であるが、一時保留部９が省略されていることおよびステップＳ８における取引カードの搬送が磁気読取書込部８から開始されることが異なる。
第２実施の形態例
図８は本発明の第２実施の形態を示す概略構成図である。
【００５２】
なお、本実施の形態の媒体処理部２は、図２に示す第１実施の形態の媒体処理部２と同様である。
また、上記第１実施の形態例と同様の部分は、同一の符号を付してその説明を省略する。
本実施の形態の主制御部４、記憶部５、表示操作部６は、現金自動取引装置に設けられた主制御部４、記憶部５、表示操作部６であり、後述するカード取扱部４１の構成および作動以外は、通常の現金自動取引装置の構成を備えており、通常の取引の作動を行う。
【００５３】
図８において、４１は媒体取扱装置としてのカード取扱部であり、現金自動取引装置に装備され、媒体としての利用者の取引カードや振込カード等を取扱う。
４２はカード取扱部４１の制御部であり、主制御部４からの指令によってカード取扱部４１内の各部を制御する。
従って、図１に示す印刷部７およびホッパ部１４、分離機構１５、搬送ローラ１７ｃは省略され、装置の簡素化が図られている。
【００５４】
本実施の形態では、媒体処理部２は利用者の取引カードや振込カードの挿入部、排出部、集積部として機能し、磁気読取書込部８は利用者の取引カードや振込カードの磁気ストライプに記録されているカード情報や振込先の口座番号等の振込先情報を読み書きする機能を有している点が第１実施の形態例と異なる。
なお、回収庫１２は分岐経路１６ａを省略して搬送経路１６の吸入方向の最下流部に設けるようにしてもよい。これにより更に装置の簡素化を図ることができる。
【００５５】
上記の構成の作用について説明する。
本実施の形態では、利用者は現金自動取引装置による振込取引を行うために媒体取扱装置であるカード取扱部４１を使用する。
以下に、図９に示すフローチャートを用い、ＳＡで示すステップに従って本実施の形態の媒体取扱処理について説明する。
【００５６】
現金自動取引装置の主制御部４は、表示操作部６の画面に待機画面を表示して待機している。
ＳＡ１、カード取扱部４１の制御部４２は、可動ガイド２６を図８に示す閉状態とし、現金自動取引装置の主制御部４からの取引カード吸入指令を待つ取引カード吸入指令待ち状態で待機している。
【００５７】
一方、現金自動取引装置の主制御部４は利用者の接近を検知すると、表示操作部６の画面に通常の取引選択画面を表示すると共にカード取扱部４１の制御部４２へ取引カード吸入指令を送信する。
主制御部４からの取引カード吸入指令を受信した制御部４２は、このことを契機としてステップＳＡ２へ分岐する。
【００５８】
ＳＡ２、取引カード吸入指令を受信した制御部４２は、利用者が取引カードを媒体取扱口３から挿入すると、吸排ローラ２１や受渡ローラ２７等を吸入方向に回転させ、上記第１実施の形態例のステップＳ２と同様にして取引カードを磁気読取書込部８へ搬送し、取引カードのカード情報を読取ってこれを主制御部４へ転送する。
【００５９】
ＳＡ３、カード情報を読取った制御部４２は、第１実施の形態例のステップＳ３と同様にして取引カードを一時保留部９へ搬送し、クラッチ１１により駆動力を遮断し、取引カードを保留ローラ１０に挟持させて磁気読取書込部８から退避させる。
一方、現金自動取引装置の主制御部４は、カード情報の転送を受けるとステップＳＡ３の作動と並行して利用者に暗証番号を入力させた後、振込先情報の入力選択画面を表示する。
【００６０】
本実施の形態では、利用者は振込カードによる入力を選択し、これにより主制御部４はカード取扱部４１の制御部４２へ振込カード吸入指令を送信する。
ＳＡ４、主制御部４からの振込カード吸入指令を待つ振込カード吸入指令待ち状態で待機していた制御部４２は、主制御部４からの振込カード吸入指令を受信したことを契機としてステップＳＡ５へ分岐する。
【００６１】
ＳＡ５、振込カード吸入指令を受信した制御部４２は、利用者が振込カードを媒体取扱口３から挿入すると、吸排ローラ２１や受渡ローラ２７等を吸入方向に回転させ、第１実施の形態例のステップＳ５と同様にして振込カードを磁気読取書込部８へ搬送し、振込カードの磁気ストライプに記録された振込先情報を読取って主制御部４へ転送すると共に振込カードを磁気読取書込部８に待機させる。
【００６２】
一方、現金自動取引装置の主制御部４は振込先情報の転送を受けると、利用者に振込金額を入力させ、利用者が振込金額と振込先情報の内容を確認した後にホストコンピュータへカード情報に振込金額や振込先情報を添付した取引電文を送信する。
ホストコンピュータは、取引電文を基に利用者の認証や振込先への送金等の通常の振込処理を行い、その結果を現金自動取引装置へ返信する。
【００６３】
ホストコンピュータからの返信を受信した現金自動取引装置の主制御部４は、その内容を確認し、吸入した媒体を排出するためにカード取扱部４１の制御部４２に対して媒体排出指令を送信する。
ＳＡ６、主制御部４からの媒体排出指令を待つ媒体排出指令待ち状態で待機していた制御部４２は、主制御部４からの媒体排出指令を受信したことを契機としてステップＳＡ７へ分岐する。
【００６４】
ＳＡ７、媒体排出指令を受信した制御部４２は、各搬送ローラや受渡ローラ２７を排出方向に回転させ、磁気読取書込部８に待機させていた振込カードを排出方向に搬送する。
この時、振込カードの磁気ストライプの振込先情報を更新する必要がある場合は、取引カードの振込先情報を更新する。
【００６５】
ＳＡ８、振込カードの排出方向への搬送を開始した制御部４２は、媒体検知センサ１８が振込カードの先端を検知するのを待って待機し、媒体検知センサ１８が振込カードの先端を検知したことを契機としてステップＳＡ９へ移行する。
ＳＡ９、振込カードの先端を検知した制御部４２は、第１実施の形態例のステップＳ１０と同様にしてソレノイド３３に通電して可動ガイド２６を開状態にする。
【００６６】
ＳＡ１０、制御部４２は、振込カードを第１実施の形態例のステップＳ１１と同様にしてガイド板２６ａ上に放出して集積する。
ＳＡ１１、振込カードの集積を終えた制御部４２は、第１実施の形態例のステップＳ８と同様に一時保留部９のクラッチ１１により駆動力を保留ローラ１０に伝達し、一時保留部９に退避させていた取引カードを排出方向に搬送する。
【００６７】
ＳＡ１２、取引カードの排出方向への搬送を開始した制御部４２は、必要に応じて取引カードの磁気ストライプに必要な情報を書込み、取引カードを第１実施の形態例のステップＳ１５と同様に先に集積されている振込カードの上に図４に示すように集積する。
ＳＡ１３、ガイド板２６ａ上に振込カードと取引カードの２枚の媒体の集積を終えた制御部４２は、第１実施の形態例のステップＳ１６と同様にして可動ガイド２６を閉状態にする。
【００６８】
ＳＡ１４、制御部４２は、第１実施の形態例のステップＳ１７と同様にして上吸排ローラ２１ａと下吸排ローラ２１ｂとの間に挟持した２枚の媒体を下吸排ローラ２１ｂのみを排出方向に回転させてずらし動作を実行する。
ＳＡ１５、ずらし動作を終えた制御部４２は、第１実施の形態例のステップＳ１８と同様にして下吸排ローラ２１ｂを回転させると同時に上吸排ローラ２１ａを搬送方向に回転させ、下の媒体である振込カードを所定のずらし量でその重なりをずらして排出し、上の媒体である取引カードの先端部が視認できる所定の長さに排出して利用者が媒体取扱口３の外部から視認できる状態で停止させ、２枚の媒体を上吸排ローラ２１ａと下吸排ローラ２１ｂとの間に挟持したまま待機する。
【００６９】
利用者は、排出された媒体をその重なりのずれによって２枚であることを確認し、２枚の媒体を媒体取扱口３から引出して受取る。
媒体の受取りを確認した制御部４２は、その受取終了信号を主制御部４へ転送すると共に可動ガイド２６を閉状態のまま、つまり媒体排出終了時の状態のままとして待機する。
【００７０】
一方、受取終了信号を受信した現金自動取引装置の主制御部４は、表示操作部６の画面に待機画面を表示して待機する。
このようにして、現金自動取引装置による利用者との振込取引が行われる。
以上説明したように、本実施の形態で示した現金自動取引装置に本発明の媒体取扱装置を適用した場合においても、上記第１実施の形態例と同様の効果を得ることができる。
【００７１】
第３実施の形態例
図１０は本発明の第３実施の形態を示す概略構成図である。
なお、本実施の形態の媒体処理部２は、図２に示す第１実施の形態の媒体処理部２と同様であるが、媒体処理部２の吸排ローラ２１および受渡ローラ２７は、媒体排出時の排出ローラおよび媒体を搬送ローラ１７ａから受取るローラとして機能する点が異なる。
【００７２】
また、上記第１実施の形態例と同様の部分は、同一の符号を付してその説明を省略する。
図１０において、５１は媒体としての鉄道等の乗車券を発行する媒体取扱装置としての発券機であり、媒体処理部２以外の部位の構成および作動は、通常と同様の構成および作動の発券機５１であって、鉄道の駅等に設置される。
【００７３】
５２は媒体リールであり、巻き芯に媒体原券としての乗車券原券Ｗを巻きつけて搬送経路１６の排出方向の最上流部に配置されており、常時は乗車券原券Ｗの先端が一対の繰出ローラ５３に挟持されて停止している。
なお、乗車券原券Ｗは、磁気データを書込むための磁気フィルムと区間料金等を印刷するための用紙とを積層した帯状の媒体原券である。
【００７４】
５４は切断部であり、帯状の乗車券原券Ｗを所定の幅に切断するためのカッタ５５が設けられる。
１７ｄは一対の搬送ローラであり、切断部５４のカッタ５５により所定の幅に切断された乗車券原券Ｗを挟持してその脱落を防止する。
本実施の形態では、媒体処理部２は乗車券の排出部、集積部として機能し、印刷部７は乗車券の表面に区間料金を印刷する機能を、磁気読取書込部８は磁気フィルムへ乗車券情報を書込み、書込んだ磁気情報を読み出して確認する機能を有している点が第１実施の形態例と異なる。
【００７５】
上記の構成の作用について説明する。
本実施の形態では、利用者は複数の乗車券を購入ために媒体取扱装置である発券機５１を使用する。
以下に、図１１に示すフローチャートを用い、ＳＢで示すステップに従って本実施の形態の媒体取扱処理について説明する。
【００７６】
ＳＢ１、発券機５１の主制御部４は、表示操作部６の画面に乗車区間の区間料金ボタンや購入枚数ボタンを表示した受付画面を表示し、可動ガイド２６を図１０に示す閉状態として待機している。
利用者は硬貨および／もしくは紙幣を図示しない料金挿入口から挿入し、表示操作部６の画面に表示されている区間料金ボタンや購入枚数ボタンによって必要な乗車券の枚数や区間料金を選択して入力し、主制御部４はこれらを基に区間料金等の乗車券情報と枚数情報を生成し、これを記憶部５に一時保存する。
【００７７】
なお、利用枚数ボタンが押下されずに区間料金ボタンのみが押下された場合は、主制御部４は利用枚数が１枚であるとして枚数情報を生成する。
本実施の形態では、利用者は必要な枚数として２枚を選択してそのボタンを押下し、希望する乗車区間の区間料金ボタンを押下して入力する。
ＳＢ２、区間料金が入力されると、主制御部４は繰出ローラ５３を排出方向に回転させ、媒体リール５２に巻かれた乗車券原券Ｗの先端が切断部５４のカッタ５５を通過した後に所定の幅に搬送して乗車券原券Ｗの先端を搬送ローラ１７ｄに挟持させて停止させる。
【００７８】
そして、カッタ５５を作動させて帯状の乗車券原券Ｗから所定の幅の１枚目の乗車券原券Ｗを切取る。
ＳＢ３、主制御部４は切断した１枚目の乗車券原券Ｗを搬送ローラ１７ｃにより磁気読取書込部８へ搬送し、上記第１実施の形態例のステップＳ１３と同様に一時保存している乗車券情報を磁気情報として１枚目の乗車券原券Ｗの磁気フィルムに書込み、その後に書込内容を確認する。
【００７９】
この時、書込内容に書込エラーがある場合には、主制御部４は第１実施の形態例のステップＳ１３と同様にその乗車券原券Ｗを回収庫１２に回収し、ステップＳＢ２へ戻って新たな乗車券原券Ｗを切取り、上記の作動を繰返す。
ＳＢ４、１枚目の乗車券原券Ｗの書込内容の確認を終えた主制御部４は、第１実施の形態例のステップＳ１４と同様に磁気書込を終えた乗車券原券Ｗを更に搬送して印刷部７の所定の位置に停止させ、乗車券情報を印刷情報として乗車券原券Ｗの表面に印刷して１枚目の乗車券を作成する。
【００８０】
ＳＢ５、１枚目の乗車券の作成を終えた主制御部４は、一時保存している枚数情報により発行する乗車券の枚数を判断し、その枚数が１枚の場合はステップＳＢ６へ、２枚以上の場合はステップＳＢ８へ移行する。
本実施の形態では、２枚の枚数情報が一時保存されているのでステップＳＢ８へ移行する。
【００８１】
ＳＢ６、発行する乗車券が１枚であると認識した主制御部４は、作成した乗車券を搬送経路１６に沿って搬送ローラ１７ａにより媒体処理部２へ搬送し、可動ガイド２６が閉じられた状態で排出方向に回転している受渡ローラ２７に受け渡して挟持させ、ガイド板２６ａに沿って更に搬送して吸排ローラ２１に挟持させる。
【００８２】
ＳＢ７、吸排ローラ２１に乗車券が挟持されたことを検知した主制御部４は、上吸排ローラ２１ａと下吸排ローラ２１ｂを排出方向に回転させ、上吸排ローラ２１ａと下吸排ローラ２１ｂとの間に挟持した乗車券の先端を媒体取扱口３から視認できる所定の長さに排出して上吸排ローラ２１ａと下吸排ローラ２１ｂとを停止させ、乗車券を上吸排ローラ２１ａと下吸排ローラ２１ｂとの間に挟持したまま待機する。
【００８３】
これと並行して主制御部４は、釣銭が必要な場合は図示しない硬貨入出金部および／もしくは紙幣入出金部から必要な現金を繰出して排出する。
利用者は排出された媒体を媒体取扱口３から引出して受取ると共に釣銭を受取り、これらの受取りを確認した主制御部４はステップＳＢ１９へ移行する。
ＳＢ８、発行する乗車券が２枚であると認識した主制御部４は、搬送ローラ１７ａにより１枚目の乗車券を搬送経路１６に沿って印刷部７から排出方向に搬送する。
【００８４】
ＳＢ９、１枚目の乗車券の排出方向への搬送を開始した主制御部４は、媒体検知センサ１８が取引カードの先端を検知するのを待って待機し、媒体検知センサ１８が１枚目の乗車券の先端を検知したことを契機としてステップＳＢ１０へ移行する。
ＳＢ１０、１枚目の乗車券の先端を検知した主制御部４は、第１実施の形態例のステップＳ１０と同様にしてソレノイド３３に通電して可動ガイド２６を開状態にする。
【００８５】
ＳＢ１１、主制御部４は、１枚目の乗車券を第１実施の形態例のステップＳ１１と同様にしてガイド板２６ａ上に放出して集積する。
ＳＢ１２、１枚目の乗車券の集積を終えた主制御部４は、ステップＳＢ２と同様にして乗車券原券Ｗから所定の幅の２枚目の乗車券原券Ｗを切取る。
ＳＢ１３、主制御部４はステップＳＢ３と同様にして切断した２枚目の乗車券原券Ｗに一時保存している乗車券情報を書込み、その内容を確認する。
【００８６】
ＳＢ１４、２枚目の乗車券原券Ｗへの書込内容の確認を終えた主制御部４は、ステップＳＢ４と同様にして乗車券情報を乗車券原券Ｗの表面に印刷して２枚目の乗車券を作成する。
ＳＢ１５、２枚目の乗車券の作成を終えた主制御部４は、２枚目の乗車券を媒体処理部２へ搬送し、ステップＳＢ１１と同様にして先に集積されている１枚目の乗車券の上に図４に示すように集積する。
【００８７】
ＳＢ１６、ガイド板２６ａ上に複数の媒体である２枚の乗車券の集積を終えた主制御部４は、第１実施の形態例のステップＳ１６と同様にして可動ガイド２６を閉状態にする。
ＳＢ１７、主制御部４は、第１実施の形態例のステップＳ１７と同様にして上吸排ローラ２１ａと下吸排ローラ２１ｂとの間に挟持した２枚の媒体を下吸排ローラ２１ｂのみを排出方向に回転させてずらし動作を実行する。
【００８８】
ＳＢ１８、ずらし動作を終えた制御部４２は、第１実施の形態例のステップＳ１８と同様にして下吸排ローラ２１ｂを回転させると同時に上吸排ローラ２１ａを搬送方向に回転させ、下の媒体である１枚目の乗車券を所定のずらし量でその重なりをずらして排出し、上の媒体である２枚目の乗車券の先端部が視認できる所定の長さに排出して利用者が媒体取扱口３の外部から視認できる状態で停止させ、２枚の媒体を上吸排ローラ２１ａと下吸排ローラ２１ｂとの間に挟持したまま待機する。
【００８９】
これと並行して主制御部４は、釣銭が必要な場合は図示しない硬貨入出金部および／もしくは紙幣入出金部から必要な現金を繰出して排出する。
利用者は、排出された媒体をその重なりのずれによって２枚であることを確認し、２枚の媒体を媒体取扱口３から引出して受取ると共に釣銭を受取る。
ＳＢ１９、媒体等の受取りを確認した主制御部４は、区間料金とその枚数を発行情報として記憶部５に格納すると共に一時保存していた乗車券情報および枚数情報を消去する。
【００９０】
その後、主制御部４はステップＳＢ１に戻り、受付画面を表示しながら可動ガイド２６を閉状態のままとして待機する。
このようにして、発券機による乗車券の発行が行われる。
以上説明したように、本実施の形態では、乗車券の発券機のように媒体の排出のみを行う場合においても、上記第１実施の形態例と同様の効果を得ることができる。
【００９１】
なお、本実施の形態では下吸排ローラのみを搬送方向に回転させてずらし動作を行うとして説明したが、下吸排ローラを排出方向に、上吸排ローラを吸入方向にそれぞれ所定の角度の略半分の角度回転させてずらし動作を行わせるようにしてもよい。これにより２枚の媒体のずらし動作時間を短縮することができる他、媒体が３枚以上の場合のずらし動作を容易とすることができる。
【００９２】
また、複数の媒体の所定のずらし量は１０〜１５ｍｍであるとして説明したが、所定のずらし量は重ねられた媒体の枚数が視認できる程度にずらすことができれば足り、３枚以上の媒体の場合にそのずらし量が必ずしも均等である必要はない。
これらのことは、上記の第１および第２実施の形態例の場合においても同様である。
【００９３】
【発明の効果】
以上述べたように、本発明は、少なくとも２枚の媒体をその重なりをずらして排出するようにしたことによって、排出された媒体の枚数を利用者が目視で容易に確認でき、無用の混乱を未然に防止することができると共に、複数の媒体を一度に排出することができ、媒体の取忘れを防止することができるという効果が得られる。
【図面の簡単な説明】
【図１】本発明の第１実施の形態を示す概略構成図
【図２】第１実施の形態の媒体処理部を示す概略側面図
【図３】第１実施の形態の媒体取扱処理を示すフローチャート
【図４】第１実施の形態の媒体集積状態を示す説明図
【図５】第１実施の形態のずらし動作開始時を示す説明図
【図６】第１実施の形態のずらし動作終了時を示す説明図
【図７】第１実施の形態の媒体排出終了時を示す説明図
【図８】本発明の第２実施の形態を示す概略構成図
【図９】第２実施の形態の媒体取扱処理を示すフローチャート
【図１０】本発明の第３実施の形態を示す概略構成図
【図１１】第３実施の形態の媒体取扱処理を示すフローチャート
【符号の説明】
１    媒体取扱装置
２    媒体処理部
３    媒体取扱口
４    主制御部
５    記憶部
６    表示操作部
７    印刷部
７ａ  印刷ヘッド
７ｂ  プラテン
８    磁気読取書込部
８ａ  磁気ヘッド
９    一時保留部
１０  保留ローラ
１１  クラッチ
１２  回収庫
１３  回収ローラ
１４  ホッパ部
１５  分離機構
１５ａ  ピックアップローラ
１５ｂ  フィードローラ
１５ｃ  リバースローラ
１６  搬送経路
１６ａ  分岐経路
１７ａ、１７ｂ、１７ｃ  搬送ローラ
１８  媒体検知センサ
２１  吸排ローラ
２１ａ  上吸排ローラ
２１ｂ  下吸排ローラ
２２ａ  上吸排ローラ軸
２２ｂ  下吸排ローラ軸
２３  ギア列
２４  駆動モータ
２５  プレッシャスプリング
２６  可動ガイド
２６ａ  ガイド板
２６ｂ  アーム板
２６ｃ  延長部
２７  受渡ローラ
２７ａ  上受渡ローラ
２７ｂ  下受渡ローラ
２８ａ  上受渡ローラ軸
２８ｂ  下受渡ローラ軸
２９  ストッパ
３０  ベルト
３１  リンク
３１ａ  ピン
３２  孔
３３  ソレノイド
３４  プランジャ
３５  連結ピン
３６  リターンスプリング
４１  カード取扱部
４２  制御部
５１  発券機
５２  媒体リール
５３  繰出ローラ
５４  切断部
５５  カッタ
【図１】
2004299793.tif 000003
【図２】
2004299793.tif 000004
【図３】
2004299793.tif 000005
【図４】
2004299793.tif 000006
【図５】
2004299793.tif 000007
【図６】
2004299793.tif 000008
【図７】
2004299793.tif 000009
【図８】
2004299793.tif 000010
【図９】
2004299793.tif 000011
【図１０】
2004299793.tif 000012
【図１１】
2004299793.tif 000013